(57)【要約】【課題】電気掃除機を構成する樹脂部材を、低コストで、外観性および耐久性さらには強度を向上することを目的としている。【解決手段】電気掃除機を構成する樹脂部材は、一次成形部分１０を成形した後、前記一次成形部分１０の外側に二次成形して外郭をなす層１３を形成してなるもので、塗装、鍍金等々が必要がなく、低コストで樹脂部品の外観性を向上を実現できる。【選択図】　図２
2004033457.tif 000002
【特許請求の範囲】
【請求項１】
吸引風を発する電動送風機を有する電気掃除機において、前記電気掃除機を構成する樹脂部材は、一次成形部分を成形した後、前記一次成形部分の外側に二次成形して外郭をなす層を形成してなる電気掃除機。
【請求項２】
一次成形部分と二次成形部分の材料は異なる材料で成形した請求項１記載の電気掃除機。
【請求項３】
一次成形部分の肉厚を、二次成形して外郭をなす層より薄く形成した請求項１または２記載の電気掃除機。
【請求項４】
一次成形部分の肉厚を、二次成形して外郭をなす層より厚く形成した請求項１または２記載の電気掃除機。
【請求項５】
吸引風を発する電動送風機を有する電気掃除機において、前記電気掃除機を構成し外郭部と前記外郭部に交わるリブを有する樹脂部材は、一次成形にて前記リブを形成した後、前記外郭部を二次成形して形成してなる電気掃除機。
【請求項６】
樹脂部材を、掃除機本体の外郭部材とした請求項１〜５のいずれか１項に記載の電気掃除機。
【請求項７】
樹脂部材を、掃除機本体が内蔵する電動送風機を支持または覆う部材とした請求項１〜５のいずれか１項に記載の電気掃除機。
【請求項８】
二次成形で、商標、機種名、記号等の表示を形成する請求項１〜７のいずれか１項に記載の電気掃除機。
【請求項９】
商標、機種名、記号等の表示をウンモで形成した請求項８記載の電気掃除機。
【請求項１０】
商標、機種名、記号等の表示をアルミの粉で構成した請求項８記載の電気掃除機。
【発明の詳細な説明】
【０００１】
【発明の属する技術分野】
本発明は、電気掃除機を構成する樹脂部品の製造方法に関するものである。
【０００２】
【従来の技術】
従来の電気掃除機を、図１３〜図１４を用いて説明する。
【０００３】
図１３において、１０１は電気掃除機の本体であり、掃除機本体１０１は前方に上方を回動自在に本体外郭に軸支された蓋体１０２によって覆われた塵埃を集塵する集塵室１０３を設け、前記集塵室１０３に連通して、塵埃を吸引する吸引風を発する電動送風機１０４を内蔵した電動送風機室１０５を設けており、前記電動送風機１０４は、掃除機本体１０１の外郭を形成する上ケース１０６及び下ケース１０７との間で弾性体を介して挟持されている。掃除機本体１０１の後方外郭部分に、前記電動送風機１０４より排出される排気を大気中に放出する排気口１０８を備えている。
【０００４】
また、図１４のように、特に前記掃除機本体１０１の外郭を形成する上ケース１０６は、前記電動送風機１０４を保持するために、多数のリブ１１２を設けている。
【０００５】
【発明が解決しようとする課題】
しかしながら上記従来の構成においては、多数のリブ１１２を形成するがために、前記上ケース１０６の表面にひけ１１３等が発生してしまっている。一次成形品のみでは外観性の向上は現状で限界のため、塗装、鍍金等々が必要となり、製造工程において、作業工数の増大のため、高コスト化となっている。
【０００６】
本発明は、以上のような従来の課題を解決するものであって、電気掃除機を構成する樹脂部材を、低コストで、外観性および耐久性さらには強度を向上することを目的としている。
【０００７】
【課題を解決するための手段】
上記目的を達成するために本発明は、吸引風を発する電動送風機を有する電気掃除機において、前記電気掃除機を構成する樹脂部材は、一次成形部分を成形した後、前記一次成形部分の外側に二次成形して外郭をなす層を形成してなるもので、塗装、鍍金等々が必要がなく、低コストで樹脂部品の外観性を向上を実現できる。
【０００８】
【発明の実施の形態】
本発明の請求項１記載の発明は、吸引風を発する電動送風機を有する電気掃除機において、前記電気掃除機を構成する樹脂部材は、一次成形部分を成形した後、前記一次成形部分の外側に二次成形して外郭をなす層を形成してなるもので、塗装、鍍金等々が必要がなく、低コストで樹脂部品の外観性を向上を実現できる。
【０００９】
本発明の請求項２記載の発明は、一次成形部分と二次成形部分の材料は異なる材料で成形したもので、従来の成形では、ヒケ、光沢不足、家具等への衝突による傷が付きやすい等々の問題が、二次成形で材料を変えることにより解消され、また二次成形の材料選択によりさまざまな美装化が図られ商品力の向上することができる。
【００１０】
本発明の請求項３記載の発明は、一次成形部分の肉厚を、二次成形して外郭をなす層より薄く形成したもので、前記一次成形部分の外側に二次成形して外郭をなす層を厚くすることで、耐摩耗性が向上する。
【００１１】
本発明の請求項４記載の発明は、一次成形部分の肉厚を、二次成形して外郭をなす層より厚く形成したもので、前記一次成形部分の外側に二次成形して外郭をなす層を薄くすることで、樹脂部品全体として強度が向上する。
【００１２】
本発明の請求項５記載の発明は、吸引風を発する電動送風機を有する電気掃除機において、前記電気掃除機を構成し外郭部と前記外郭部に交わるリブを有する樹脂部材は、一次成形にて前記リブを形成した後、前記外郭部を二次成形して形成してなるもので、リブの成形不良を防止でき、更に成形時間の短縮が図れる。
【００１３】
本発明の請求項６記載の発明は、樹脂部材を、掃除機本体の外郭部材としたもので、低コストで特に使用者の目にふれる樹脂部品の外観性を向上を実現できる。
【００１４】
本発明の請求項７記載の発明は、樹脂部材を、掃除機本体が内蔵する電動送風機を支持または覆う部材としたもので、電動送風機の運転音、電動送風機室内の風切り音の遮音が図れ、防音材の簡素化、又、騒音の静音化を図り、及び外観品位を向上することができる。
【００１５】
本発明の請求項８記載の発明は、二次成形で、商標、機種名、記号等の表示を形成するもので、後加工で各種の印刷をする手間が省けることで効率化が図れるとともに、電気掃除機の外郭の外観品位を向上することができる。
【００１６】
本発明の請求項９記載の発明は、商標、機種名、記号等の表示をウンモで形成したもので、後加工で各種の印刷をする手間が省けることで効率化が図れるとともに、電気掃除機の外郭の外観品位を向上することができる。
【００１７】
本発明の請求項１０記載の発明は、商標、機種名、記号等の表示をアルミの粉で構成したもので、後加工で各種の印刷をする手間が省けることで効率化が図れるとともに、電気掃除機の外郭の外観品位を向上することができる。
【００１８】
【実施例】
以下本発明の一実施例を、図１〜図１２を用いて説明する。
【００１９】
図１において、１は前部に集塵室２、後部に電動送風機室３を内蔵した掃除機本体である。この集塵室２内には集塵袋４を取り付け、その上部開口部には集塵室蓋５にて開閉自在に覆われている。電動送風機室３内には集塵室２内に塵埃を吸引するための電動送風機６を配し、具体的には、掃除機本体１の外郭を構成する下ケース７と上ケース８とで挟持し固定している。９は電動送風機室３の後部に設けた排気口であり、上ケース８に形成されている。
【００２０】
図２〜図４において、前記掃除機本体１の外郭を構成する下ケース７や上ケース８は、（金型に付いて文章で説明し、図示は省略する）、二材質成形機に金型を取付け、固定側の金型には、形状の異なる金型を平行に二面設ける、一面は、一次成形出来る形状に金型を形成し、二面目は、一次成形の外側に二次成形する形状に金型を形成する、一方可動及び回転する側の金型には、同形状の金型を平行に二面形成した二材質成形金型により、内部構造体をなす一次成形を成形した後、前記可動側の金型が１８０°回転し、固定側に結合し二次成形が出来る樹脂用成形金型となつている。一次成形部１０の外側１１に二次成形部１２を形成し、前記一次成形部１０の外側１１に外層をなす層１３を二次成形部１２で形成する。
【００２１】
前記掃除機本体１の外郭を構成する下ケース７や上ケース８は、一次成形部１０の肉厚１４を厚く成形し、一次成形部１０の外側１１を二次成形部１２を形成することにより、内部構造体をなすリブ１５、隔壁１６等の周辺１７の外観１１を阻害していた表面を美観に仕上げることにより、電気掃除機の商品性の向上が図れる。又、二材質成形により、掃除機本体１の外郭を構成する下ケース７、上ケース８の肉厚１４を厚くすることが出来るため、掃除機本体１の堅牢化、電動送風機６の回動音、吸引風、排気風等の風の流れによる風切音を遮音し、騒音値を低減することができる。
【００２２】
また、掃除機本体１の外郭を構成する下ケース７や上ケース８を、一次成形部１０を形成した後、一次成形部１０の外側１１に一次成形部１０の材料と異なる材料で二次成形部１２を形成し、前記一次成形部１０の外側１１に外層をなす層１３を二次成形部１２で形成する。前記下ケース７に各部品を取付け、上ケース８を挟持し固定する。前記掃除機本体１の外郭を構成する下ケース７や上ケース８は、一次成形部１０、二次成形部１２を形成することにより、下ケース７や上ケース８とも肉厚１４を厚く出来る。一次成形７の外側１１を二次成形部１２を形成することにより、内部構造体をなすリブ１５、隔壁１６等の周辺１７の外観を阻害していた表面を美観に仕上げることができ、電気掃除機の商品性向上が図れる。又、前記二次成形部１２により、掃除機本体１の外郭を構成する下ケース７や上ケース８の肉厚１４を厚くすることが出来るため、掃除機本体１の堅牢化、電動送風機６の回動音、吸引風、排気風等の風の流れによる風切音の遮音効果の向上が図れ、騒音値を低減することが可能となる。
【００２３】
次に、下ケース７や上ケース８の外郭面１８の内側と交わるリブ１５、隔壁１６の付根のＲ形状部１９の半径を大きく構成し一次成形部１０後、一次成形部１０の外側１１に一次成形部１０の材料と異なる材料または、同材質で二次成形部１２を行ない前記一次成形部１０の外側１１に外層をなす層１３を二次成形部１２で形成する。前記下ケース７に各部品を取付け、上ケース８を挟持し固定する。前記掃除機本体１の外郭を構成する下ケース７や上ケース８のリブ１５、隔壁１６の付根のＲ形状部１９の半径を大きく形成することにより、リブ１５、隔壁１６の付根の周辺の外観にヒケ２０が大きく目立つが、一次成形部１０の外側１１に二次成形部１２を形成することにより外層をなす層１３を二次成形部１２で形成しヒケ２０は、目立たなくなる、又、リブ１５等の付根のＲ形状部１９を半径を大きくすることにより、掃除機を構成する樹脂部品の強度は向上し、掃除機本体１の堅牢化、耐落下性、耐共振性等々の向上が図れる。
【００２４】
図５において、掃除機本体１の外郭を構成する下ケース７や上ケース８のリブ１５、隔壁１６を厚く、前記リブ１５、隔壁１６の付根のＲ形状部１９の半径を大きく構成し、一次成形部１０は前記二次成形部１２より薄肉２１で成形し、一次成形部１０の外側１１に一次成形部１０の材料と異なる材料又は、同材質で二次成形部１２を形成し、前記一次成形部１０の外側１１に外層をなす層１３を二次成形部１２で形成する。下ケース７に各部品を取付け、上ケース８を挟持し固定する。前記掃除機本体１の外郭を構成する下ケース７や上ケース８のリブ１５、隔壁１６の付根のＲ形状部１９の半径を大きく形成することにより、リブ１５、隔壁１６の付根の周辺の外観にヒケ２０が大きく目立つが、一次成形部１０の外側１１に二次成形部１２を形成することにより外層をなす層１３を二次成形部１２で形成しヒケ２０は、目立たなくなる、又、リブ１５等の付根のＲ形状部１９の半径を大きくすることにより、掃除機を構成する樹脂部品の薄肉化を図れ、薄肉２１でも強度は向上し、耐落下性、耐共振性等々の向上が図れる。
【００２５】
図６において、下ケース７や上ケース８の外郭面１８の内側と交わるリブ１５、隔壁１６の付根にＲ形状部１９を構成し、一次成形部１０の外側１１に一次成形部１０の材料と異なる材料または、同材質で二次成形部１２を前記一次成形部１０より厚肉２２で成形後、前記一次成形部１０の外側１１に外層をなす層１３を二次成形部１２で形成する。下ケース７に各部品を取付け、上ケース８挟持し固定する。前記掃除機本体１の外郭を構成する下ケース７や上ケース８は、厚肉２２の一次成形部１０により、リブ１５、隔壁１６の付根が外郭面１８と交わる部分の外観のヒケ２０が大となり、ヒケ２０が目立つが、一次成形部１０の外側１１に二次成形部１２を形成することにより、一次成形部１０のヒケ２０を覆うことにより、外観性を向上し、掃除機を構成する樹脂部品の厚肉化により強度は向上し、堅牢且つ耐落下性、耐共振性等々の向上が図れる。
【００２６】
図７において、掃除機本体１の外郭を構成する下ケース７や上ケース８は、外郭面１８と交わるリブ１５、隔壁１６を一次成形部１０にて形成した後、前記外郭面１８を二次成形部１２にて形成したものである。前記掃除機本体１の外郭を構成する下ケース７や上ケース８は、リブ１５、隔壁１６を一次成形部１０にて形成し、二次成形部１２にて下ケース７や上ケース８の外郭面１８を形成することにより、成形時間の短縮と、外観にヒケ２０、フローマーク（図示せず）等の発生が無く、外観性の向上が図れる。
【００２７】
図８において、吸引風を発する電動送風機６を支持または覆うリブ１５、隔壁１６、及び底部２３、底部２３の側面２４さらに上部２５、上部２５の側面２４の肉厚を薄肉２１で一次成形部１０にて形成した後、前記一次成形部１０の外側の外郭面１８をなす層１３を厚肉２２に二次成形部１２にて形成したものである。下ケース７や上ケース８の電動送風室３を覆うリブ１５、隔壁１６、及び底部２３、上部２５、側面２４を厚肉２２にしたことにより、電動送風機６から発生する運転音、風切り音、振動音等の遮音効果を向上し、低騒音化が図れる。
【００２８】
図９において、吸引風を発する電動送風機６を支持または覆うリブ１５、隔壁１６、及び底部２３、底部２３の側面２４さらに上部２５、上部２５の側面２４の肉厚を厚肉２２で一次成形部１０にて形成した後、前記一次成形部１０の外側の外郭面１８をなす層１３を薄肉２１に二次成形部１２にて形成したものである。下ケース７や上ケース８の電動送風室３を覆うリブ１５、隔壁１６、及び底部２３、上部２５、側面２４を厚肉２２にしたことにより、電動送風機６から発生する運転音、風切り音、振動音等の遮音効果を向上し、低騒音化が図れる。
【００２９】
図１０において、下ケース７や上ケース８の外郭面１８を一次成形部１０にて形成した後、一次成形部１０の表面に二次成形部１２で一次成形部１０と異なる材料、又は同材料で装飾２６を二次成形部１２で行ったものである。掃除機本体１の外郭を構成する下ケース７や上ケース８に、外観の見栄えを良くするために一次成形部１０品の外観１１を塗装、鍍金及び銘板等々を使用していたが、前記のように二次成形部１２で装飾２６出来るため、商品性の向上、また労働環境衛生の向上、物流合理化、等が図れる。
【００３０】
図１１、図１２において、下ケース７や上ケース８及び集塵室蓋５の外郭面１８を一次成形部１０を形成した後、一次成形部１０の表面に二次成形部１２で一次成形部１０の材料と異なる材料で操作表示（図示せず）、商標２７、品番２８、及び記号、訴求内容を成形で行ったものである。下ケース７や上ケース８及び集塵室蓋５の外観に従来は、熱転写、印刷、ラベルの貼付け、銘板の貼付け等々を行なっていたが、前記の内容等は、前記のように二次成形部１２で対応出来るため、商品性の向上、また労働環境衛生の向上、物流の合理化、等々が図れる。ウンモ２９で操作表示（図示せず）、商標２７、品番２８、及び、訴求内容を成形で行うと、下ケース７と上ケース８の及び集塵室蓋５の外観に従来は、熱転写、印刷、ラベルの貼付け、銘板の貼付け等々を行なっていたが、前記の内容等は、二次成形部１２の材料をウンモ２９を使用して二次成形部１２を形成することにより、商品性の向上、また労働環境衛生の向上、物流の合理化、等々が図れる。
【００３１】
また、アルミの粉３０で操作表示（図示せず）、商標２７、品番２８、及び、訴求内容を成形で行っても、商品性の向上、また労働環境衛生の向上、物流の合理化が図れる。
【００３２】
【発明の効果】
以上のように本発明によれば、電気掃除機を構成する樹脂部材を、低コストで、外観性および耐久性さらには強度を向上できる。
【図面の簡単な説明】
【図１】本発明の一実施例を示す掃除機本体の断面図
【図２】同掃除機本体の外郭部材の部分断面図
【図３】同掃除機本体の他の外郭部材の部分断面図
【図４】同掃除機本体の他の外郭部材の部分断面図
【図５】同掃除機本体の他の外郭部材の部分断面図
【図６】同掃除機本体の他の外郭部材の部分断面図
【図７】同掃除機本体の他の外郭部材の部分断面図
【図８】同掃除機本体の電動送風機室の部分断面図
【図９】同掃除機本体の他の電動送風機室の部分断面図
【図１０】同掃除機本体の他の外郭部材の部分断面図
【図１１】同掃除機本体の集塵室蓋の平面図
【図１２】同掃除機本体の他の集塵室蓋の平面図
【図１３】従来の掃除機本体の断面図
【図１４】同掃除機本体の外郭部材の部分断面図
【符号の説明】
１０　一次成形部
１２　二次成形部
１３　層
【図１】
2004033457.tif 000003
【図２】
2004033457.tif 000004
【図３】
2004033457.tif 000005
【図４】
2004033457.tif 000006
【図５】
2004033457.tif 000007
【図６】
2004033457.tif 000008
【図７】
2004033457.tif 000009
【図８】
2004033457.tif 000010
【図９】
2004033457.tif 000011
【図１０】
2004033457.tif 000012
【図１１】
2004033457.tif 000013
【図１２】
2004033457.tif 000014
【図１３】
2004033457.tif 000015
【図１４】
2004033457.tif 000016